(57)【要約】【解決手段】  通信システムにおけるブロードキャストサービスに関する機能情報をネゴシエーションするための方法及び装置。１つの実施形態において、包括的機能は、利用可能なＢＣサービス及び対応する能力のリスト項目に基づいて、ＭＳ１０２へ及びＰＤＳＮ１１０へ包括的機能情報を提供する、ＢＳＣ１０４に事前形成される。もう１つの実施形態は、包括的機能情報を用いてＰＤＳＮ１１０を事前形成する。それでもなおもう１つの実施形態に従って、ＰＤＳＮは、包括的機能情報を用いて事前形成され、ここにおいて、ＭＳは、ＰＰＰ接続を介して包括的機能情報に関して直接的にＰＤＳＮに照会する。それでも、もう１つの実施形態において、ＭＳは、システムにおける全てのＰＤＳＮに順番に照会する、ＰＣＦ１０８に照会する。ＢＣに関する役割を担うＰＤＳＮは、照会に応答する。多数のＰＤＳＮがＢＳＣをサポートすることができる処では、マルチキャストアドレスを使用して応答すべき最初のものは、他のものが応答する必要をなくする。
2005516534.tif 000002
【特許請求の範囲】
【請求項１】
ブロードキャストサービスをサポートする通信システムにおいて、下記を具備する方法：
第１のブロードキャストサービスに関する機能情報持つ第１の社会的基盤要素を事前に形成すること；
第１のブロードキャストサービスを求める要請に応答して、第１の社会的基盤要素は移動局へ機能情報を提供すること。
【請求項２】
機能情報はヘッダ圧縮情報及びＢＣＭＣＳ＿ＩＤとＩＰマルチキャストアドレスとの間のマッピングを具備する、請求項１記載の方法。
【請求項３】
更に下記を具備する、請求項１記載の方法：
機能情報を更新するために第１の社会的基盤要素を再構成すること。
【請求項４】
機能情報を提供する第１の社会的基盤要素がさらに下記を具備する、請求項１記載の方法：  第２社会的基盤要素へ機能情報を提供すること。
【請求項５】
第１の社会的基盤要素は基地局コントローラである、請求項１記載の方法。
【請求項６】
第２の社会的基盤要素はパケットデータサービスノードである、請求項５記載の方法。
【請求項７】
第１の社会的基盤要素を事前に形成することが構成データベースから第１のブロードキャストサービスに関する機能情報へのアクセスを確立することを具備する、請求項１記載の方法。
【請求項８】
第１の社会的基盤要素を事前形成することは、構成データベースから他のブロードキャストサービスに関する機能情報へのアクセスを確立することを具備する、請求項７記載の方法。
【請求項９】
通信システムにおける装置、該通信システムはブロードキャストサービスをサポートし、該装置は下記を具備する：
第１のブロードキャストサービスに関する機能情報を用いて第１の社会的基盤要素を事前形成するための手段；
第１のブロードキャストサービスに関する要請に応答して、第１の社会的基盤要素が移動局へ機能情報を提供するための手段。
【請求項１０】
無線通信システムにおける社会的基盤要素、該社会的基盤要素は下記を具備する方法を実施するように構成される：
構成データベースへアクセスする、該構成データベースは対応する機能情報とブロードキャストサービスのリストを具備する；及び
ブロードキャストサービスのリストにおける第１のブロードキャストサービスを求める要請に応答して、無線通信システムの中の要素へ対応する機能情報を提供する。
【請求項１１】
機能情報はヘッダ圧縮情報を具備する、請求項１０記載の社会的基盤要素。
【請求項１２】
更に下記に適応させられる、請求項１０記載の社会的基盤要素：
機能情報を更新するために社会的基盤要素を再形成すること。
【請求項１３】
更に下記に適応させられる、請求項１０記載の社会的基盤要素：
第２の社会的基盤要素へ機能情報を提供すること。
【請求項１４】
社会的基盤要素は基地局コントローラである、請求項１３記載の社会的基盤要素。
【請求項１５】
第２の社会的基盤要素はパケットデータサービスノードである、請求項１４記載の社会的基盤要素。
【請求項１６】
ブロードキャストサービスをサポートする通信システムにおいて、下記を具備する方法：
移動局から社会的基盤要素への二地点間プロトコル（ＰＰＰ）接続を確立すること；
ＰＰＰ接続を介して第１のブロードキャストサービスに関する機能情報を要請すること；及び
要請に応答して、社会的基盤要素は移動局へ機能情報を提供すること。
【請求項１７】
ブロードキャストサービスをサポートする無線通信システムにおける移動局、該移動局は下記を実施するように構成される：
社会的基盤要素への二地点間プロトコル（ＰＰＰ）接続を確立する；
ＰＰＰ接続を介して第１のブロードキャストサービスに関する機能情報を要請する；
機能情報を受信する；及び
ブロードキャストサービスデータに機能情報を適用する。
【請求項１８】
ブロードキャストサービスをサポートする無線通信システムにおけるパケットデータサービスノード、該パケットデータサービスノードは下記を実施するように構成される：
移動局への二地点間プロトコル（ＰＰＰ）接続を確立する；
ＰＰＰ接続を介して第１のブロードキャストサービスに関する機能情報に関する要請を受信する；
移動局へ機能情報を提供する；及び
ブロードキャストサービスデータに機能情報を適用する。
【請求項１９】
機能情報を提供する第１の社会的基盤要素がさらに下記を具備する、請求項１記載の方法：
第２の社会的基盤要素へ機能情報を提供すること。
【請求項２０】
通信システムにおける装置、該通信システムはブロードキャストサービスをサポートし、該装置は下記を具備する：
第１のブロードキャストサービスに関する機能情報を用いて第１の社会的基盤要素を事前形成するための手段；
第１のブロードキャストサービスを求める要請に応答して、第１の社会的基盤要素が移動局へ機能情報を提供するための手段。
【請求項２１】
無線通信システムにおける社会的基盤要素、該社会的基盤要素は下記を具備する方法を実施するように構成される：
構成データベースへアクセスする、該構成データベースは対応する機能情報とブロードキャストサービスのリストを具備する；及び
ブロードキャストサービスのリストにおける第１のブロードキャストサービスを求める要請に応答して、無線通信システムの中の要素へ、対応する機能情報を提供する。
【請求項２２】
機能情報はヘッダ圧縮情報を具備する、請求項２１記載の社会的基盤要素。
【請求項２３】
更に下記に適応させられる、請求項２１記載の社会的基盤要素：
機能情報を更新するために社会的基盤要素を再形成すること。
【請求項２４】
更に下記に適応させられる、請求項２１記載の社会的基盤要素：
第２の社会的基盤要素へ機能情報を提供すること。
【請求項２５】
社会的基盤要素は基地局コントローラである、請求項２４記載の社会的基盤要素。
【請求項２６】
第２の社会的基盤要素はパケットデータサービスノードである、請求項２５記載の社会的基盤要素。
【請求項２７】
ブロードキャストサービスをサポートする通信システムにおいて、下記を具備する方法：
移動局と第１の社会的基盤要素との間にＰＰＰセッションを確立すること；
第１の社会的基盤要素は、第１のグループの社会的基盤要素へ第１のブロードキャストサービスに関する機能情報に関する照会を送出すること；
第１の社会的基盤要素は第１のグループの少なくとも１つの社会的基盤要素からの応答を受信すること；及び
第１の社会的基盤要素が移動局へ機能情報を送出すること。
【請求項２８】
第１のグループの社会的基盤要素は第１のブロードキャストサービスをサポートする、請求項２７記載の方法。
【請求項２９】
第１の社会的基盤要素は第１のグループにはない、請求項２８記載の方法。
【請求項３０】
無線通信システムにおける社会的基盤要素、該社会的基盤要素は下記を具備する方法を実施するように構成される：
第１のブロードキャストサービスのための機能情報に関する照会を受信する、該照会はマルチキャストアドレスを有すること；及び
該照会に応答すること。
【請求項３１】
照会に応答することが下記を具備する、請求項３０記載の社会的基盤要素：
もう１つの社会的基盤要素からの照会への応答を受信すること、
該応答はマルチキャストアドレスを有すること；及び
該照会を無視すること。
【発明の詳細な説明】
【技術分野】
【０００１】
本発明は、一般に、無線通信システムに関し、特に、ブロードキャスト(broadcast)／マルチキャスト（multicast ）サービスに関する通信パラメータのネゴシエーション（negotiation）のための方法及び装置に関する。
【背景技術】
【０００２】
無線通信システムを介するパケット化されたデータサービスの需要が高まりつつある。従来の無線通信システムは、音声通信のために設計されているので、データサービスをサポートするための拡張は、多くの課題（challenge）を持ち込む。特に、ビデオ及びオーディオ情報が加入者へ流されるブロードキャストのような、単一方向サービスの設備は、独特の必要条件及び目標を有する。このようなサービスは、広い帯域幅要求があり、ここにおいて、システム設計者は、オーバヘッド情報の通信を最小化しようと努める。更に、特定の情報は、パラメータ及びプロトコルを処理するような、ブロードキャストに転送及び／又はアクセスするために必要とされる。利用可能な帯域幅の使用を最適化しながらブロードキャスト特有の情報を通信する上での問題が存在する。
【０００３】
従って、無線通信システムにおいて、データを通信する効率的で正確な方法に対するニーズがある。更に、サービス特有の情報を提供する効率的で正確な方法に対するニーズがある。
【発明の開示】
【０００４】
単語“例示的”は、この中に、専ら“見本、場合、又は図示の役をすること”を意味するために使用される。“例示的”として、この中に説明されるどの実施形態も、必ずしも他の実施形態を超えて好ましい又は利点があるとして、解釈される必要はない。本実施形態の種々の態様が図面に提示されているが、図面は、特に表示されていなければ、必ずしも一律の縮尺に従って描かれているとはいえない。
【０００５】
無線通信システムの例示的実施形態は、システムの正確性及び通信必要条件を満たしながら、各ヘッダ（header）のサイズを縮小させるヘッダ圧縮の方法を採用する。例示的実施形態は、単一方向ブロードキャストサービスをサポートする。ブロードキャストサービスは、多数のユーザへＩＰパケットを提供する。一般に、ＩＰパケットは、ビデオ及び／又はオーディオストリームを具備する。ブロードキャストサービスへの加入者は、ブロードキャストへアクセスするために、指定されたチャンネルに“波長を合わせる”。高速通信のビデオブロードャストに対する帯域幅要求が大きいので、このようなブロードキャストに関連するどのオーバヘッドのサイズも縮小させることが望ましい。
【０００６】
時として、ブロードキャストサービスは、地理的位置に基づいて、一グループのユーザへ情報を送出するサービスとして使用されることがある。これは、“アドレス指定がない”メッセージ伝達と考えられることもできる。セル／セクタ若しくは特定の呼出区域に基づいて、交通量又は気象警報のような、局地的な情報をブロードキャストする例がある。ブロードキャスト情報を受信することが可能な領域における全てのユーザは、それを受信する。
【０００７】
ブロードキャストサービスは、マルチキャストをするために使用されることもできる。マルチキャストは、ユーザグループへの加入に基づいて、特定の組のユーザへ情報をブロードキャストする能力をいうことがある。ユーザグループは、管理者によって維持されることができる。更に、ユーザグループは、公的に加入することができ（例えば、広告、株式相場、等に契約を結ぶ）、又は公的な加入（例えば、企業リスト）へ閉鎖的に入る（会員になる）ことができる。マルチキャストリストは、ユーザグループ管理者によって規定されるような、メッセージの受信を承認する移動装置を有するように構成されることもできる。これは、アドレス指定可能なメッセージ伝達と考えられることができる。
【０００８】
マルチキャストユーザグループは、一般に、閉鎖的なグループであると考えられる。これらのグループにおいて、構成員は、一般に、管理者へ要請を送信することによって、若干のウェブインタフェースによって、又は他の機構によって、サービス（公的なマルチキャストグループ）へ加入する。私的なマルチキャストグループは、構成員を手動的に追加する管理者によって、会員に明確に制限される。
【０００９】
ブロードキャストサービスは、公的な及び私的なグループに分割されることもできる。公的なブロードキャストグループは、地理的特有の情報を送出するために使用される。ブロードキャスト機能を有する、特定の地理的領域における全ての装置は、公的なグループにあり、この情報を受信する。この公的なブロードキャスト型に関するブロードキャスト情報の例は、緊急気象警報、交通状態、等、である。私的なブロードキャストグループは、特別な領域における特定のグループの装置へ特定の情報を送出することを目標にする。この型のサービスの１つの例は、所在地に基づく広告である。この例に関する１つの可能な筋書きは、ユーザが、他の時間帯ではなく、商店街にいる時、何処でユーザが特定の広告を受信することを選ぶことができるか、である。
【００１０】
次の議論は、一般に、スペクトル拡散無線通信システムを最初に提示することによって、例示的実施形態を展開する。次に、ブロードキャストサービスが導入され、ここにおいて、本サービスは、高速ブロードキャストサービス（ＨＳＢＳ）と呼ばれる。基地局とパケットデータサービングノードとの間のインタフェースは、ユーザトラヒック及び信号方式に関して導入される。ユーザトラヒックに関するＡ１０接続を確立するためのメッセージが議論される。パケットデータサービングノードへ処置・マッピング（treatment and mapping）情報を伝達するためのフロー処置・マッピングデータは、図示され、説明される。基地局からパケットデータサービングノードへのフロー処置・マッピングデータを送信する例が示される。圧縮アルゴリズムの細目を定義するためのサービスオプションパラメータの使用を提示する、正しいインタフェースへのフローのマッピングの詳細が示される。最後に、処置・マッピング情報を伝達するためのフロー処置・マッピングデータを使用する数個の利益が述べられる。
【００１１】
例示的実施形態は、この議論の全体に亘って手本として提供されるが、しかしながら、代案の実施形態は、本発明の範囲から離脱しないで、種々の態様を組み入れることができることに注目されたい。特に、本発明は、データ処理システム、無線通信システム、及び情報の効率的な通信を要望するどのような他のシステムにも適用可能である。
【００１２】
無線通信システム
例示的実施形態は、ブロードキャストサービスをサポートする、スペクトル拡散無線通信システムを採用する。無線通信システムは、音声、データ、等のような、種々の型の通信を提供するために、広く配備されている。これらのシステムは、符号分割多元接続（ＣＤＭＡ）、時分割多元接続（ＴＤＭＡ）、又は若干の他の変調技術に基づくことができる。ＣＤＭＡシステムは、他の型のシステムを超えて確かな利点を提供し、増大させられたシステム容量を含む。
【００１３】
システムは、この中で３ＧＰＰ２と呼ばれる“第３世代提携プロジェクト２”と名付けられた連合体によって提案された標準で、この中でＷ‐ＣＤＭＡ標準と呼ばれる、文書番号３Ｇ  ＴＳ２５．２１１、３Ｇ  ＴＳ２５．２１２、３Ｇ  ＴＳ２５．２１３、及び３Ｇ  ＴＳ２５．２１４、３Ｇ  ＴＳ２５．３０２を含む一組の文書に盛り込まれ、この中で３ＧＰＰと呼ばれる“第３世代提携プロジェクト”と名付けられた連合体によって提案された標準で、この中でＩＳ‐９５標準と呼ばれる“２重モード広帯域スペクトル拡散セルラシステムに関するＴＩＡ／ＥＩＡ／ＩＳ‐９５‐Ｂ移動局‐基地局適合性標準”、及び公式にはＩＳ‐２０００ＭＣと名付けられ、この中でｃｄｍａ２０００と呼ばれるＴＲ‐４５．５のような、１つ以上の標準をサポートするように設計されることができる。この中で前に引用された標準は、これによって参照文献として、特にこの中に組み入れられる。
【００１４】
各標準は、特に、基地局から移動局へ、及びその反対の、通信に関するデータの処理をすることを規定する。例示的実施形態として、次の議論は、ＣＤＭＡ２０００標準のプロトコルと矛盾がないスペクトル拡散通信システムと考える。代案の実施形態は、もう１つの標準を組み入れることができる。それでもなお他の実施形態は、この中に開示された圧縮方法を、他の型のデータ処理システムに適用することができる。
【００１５】
高速ブロードキャストシステム（ＨＳＢＳ）
無線通信システム１００は、図１に図示され、ここにおいて、ＩＰパケットは、コンテンツサーバ（ＣＳ）１１６によって、インターネットプロトコル（ＩＰ）インタフェース１１４を介して少なくとも１つのパケットデータサービングノード（ＰＤＳＮ）１１０へ提供される。ＣＳ１１６は、インターネットプロトコルデータパケット（“ＩＰパケット”）として、ＩＰインタフェース１１４を横断して通信されるデータを提供する。多くの様々な種類のデータは、ＣＳ１１６によって通信されることができる。例えば、オーディオデータ、ビデオデータ、テキストデータ、電子ファイル、等、は、ＩＰインタフェース１１４を通って、ＣＳ１１６によって通信されることができる。ビデオ及びオーディオ情報は、テレビ放送番組からでもよく、又はラジオ通信であってもよい。このように、ＣＳ１１６は、ビデオデータ、オーディオデータ、等、をサービスするように構成されたサーバであることができる。１つの実施形態において、ＣＳ１１６は、インターネットに接続され、ワールドワイドウェブを閲覧（browse）するユーザへデータを供給するように機能する、ウェブサーバであってもよい。ＩＰインタフェース１１４は、インターネット、イントラネット、私的なＩＰネットワーク、等、であってもよい。
【００１６】
ＰＤＳＮ１１０は、パケット制御機能（ＰＣＦ）ノード１０８へＩＰパケットを通信するために、ＩＰパケットを受信し、処理する。ＰＣＦ１０８は、それから、ＩＰインタフェース１０６を介して基地局コントローラ（ＢＳＣ）１０４と通信する。ＰＣＦ１０８は、多数のＢＳＣ（図示されていない）又は代案として１つ以上の基地局（ＢＳ）と通信状態にあることができることに注目されたい。一旦、ＢＳＣがデータを受信すると、ＢＳＣは、それから、ＭＳ１０２のような、１つ以上の移動局（ＭＳ）へデータを送出する。ＰＣＦ１０８は、ＩＰインタフェース１１８と通信する、ＰＤＳＮ１１２とも通信状態にある。例示的実施形態において、ＢＳＣ１０４からＰＣＦ１０８に向けての通信が有線通信であるのに対して、ＭＳ１０２へのＢＳＣ１０４の通信は、無線通信である。無線通信は、アクセスネットワーク（ＡＮ）１３０と呼ばれるネットワーク上で行われ、一方において、ＭＳ１０２は、アクセス端末（ＡＴ）１４０と呼ばれる。
【００１７】
ＣＳ１１６からの情報は、ＩＰパケットにおけるような、パケット化されたデータとして提供される。ＰＤＳＮ１１０は、ＡＮ１３０の中で分配するためにＩＰパケットを処理する。図示されるように、ＡＮ１３０は、ＢＳＣ１０４、ＩＰインタフェース１０６、１１４、１１８、ＰＣＦ１０８、ＰＤＳＮ１１０、１１２、及びＣＳ１１６を含むシステム１００の部分として規定される。ＨＳＢＳサービスに関して、ＢＳＣ１０４は、ＰＤＳＮ１１０から情報のストリームを受信し、システム１００の中の加入者へ指定されたチャンネル上で情報を提供する。
【００１８】
ＨＳＢＳは、無線通信システムにおける大気インタフェースを介して提供される情報のストリームである。“ＨＳＢＳチャンネル”は、ブロードキャストコンテンツによって規定されるような、単一の論理ＨＳＢＳブロードキャストセッションのことをいう。所与のＨＳＢＳチャンネルのコンテンツは、例えば、午前７時ニュース、午前８時天気予報、午前９時映画、等、時間と共に変更することがある。時間に基づく予定は、単一のＴＶチャンネルに類似である。“ブロードキャストチャンネル”は、単一の順方向リンク物理チャンネル、即ち、ブロードキャストトラヒックを運ぶ所与のウォルシュ符号、のことをいう。ブロードキャストチャンネル、ＢＣＨは、単一のＣＤＭチャンネルに対応する。
【００１９】
単一のブロードキャストチャンネルは、１つ以上のＨＳＢＳチャンネルを運ぶことができるが、この場合において、ＨＳＢＳチャンネルは、単一のブロードキャストチャンネルの中で時分割多重化（ＴＤＭ）方式で多重化される。１つの実施形態において、単一のＨＳＢＳチャンネルは、セクタの中の１つより多いブロードキャストチャンネル上で提供される。もう１つの実施形態において、単一のＨＳＢＳチャンネルは、加入者にサービスするために様々な周波数上でこれらの周波数において提供される。
【００２０】
例示的実施形態に従って、図１に図示されたシステム１００は、高速ブロードキャストサービス（ＨＳＢＳ）と呼ばれる高速マルチメディアブロードキャストサービスをサポートする。本サービスのブロードキャスト機能は、ビデオ及びオーディオ通信をサポートするために充分なデータレートで番組を提供するように意図される。例として、ＨＳＢＳの適用は、映画、スポーツ行事、等、のビデオストリーミングを含むことができる。ＨＳＢＳサービスは、インターネットプロトコル（ＩＰ）に基づくパケットデータサービスである。
【００２１】
例示的実施形態に従って、サービスプロバイダは、ＣＳ１１６と呼ばれ、ここにおいて、ＣＳ１１６は、このような高速ブロードキャストサービスの有効性をシステムユーザへ広告する。ＨＳＢＳサービスを受信することを所望するどのユーザも、ＣＳ１１６に加入することができる。加入者は、それから、ＣＳ１１６によって提供されることができる種々の方法でブロードキャストサービス予定を走査することができる。例えば、ブロードキャストコンテンツは、広告、短期経営システム（short management system）（ＳＭＳ）メッセージ、無線アプリケーションプロトコル（ＷＡＰ）、及び／又は一般に移動無線通信と矛盾がなくて便利な若干の他の手段、を通して伝達されることができる。ＢＳ１０４は、制御及び情報、即ち、非ペイロード（non-payload）メッセージに関して規定されたチャンネル及び／又は周波数上で通信されるこれらのような、オーバヘッドメッセージにおけるＨＳＢＳ関連のパラメータを通信する。ペイロードは、通信の情報コンテンツのことをいい、ここにおいて、ブロードキャストセッションに関して、ペイロードは、ブロードキャストコンテンツ、即ち、ビデオ番組、等、である。ブロードキャストサービス加入者がブロードキャストセッション、即ち、特定のブロードキャスト予定番組を受信しようと要望するとき、ＭＳ１０２は、オーバヘッドメッセージを読み出し、適切な構成を習得する。ＭＳ１０２は、それから、ＨＳＢＳを有する周波数に波長を合わせ、ブロードキャストサービスコンテンツを受信する。
【００２２】
ＭＳ１０２が首尾よくブロードキャストチャンネルを見つけて聴取することができるために、種々のブロードキャストサービス関連のパラメータが大気インタフェースを介して通信される。ブロードキャストサービスは、プロトコルスタックにおいて、種々のプロトコルオプションをサポートするように設計される。これは、ブロードキャストサービスの受信者が、ブロードキャストの固有の復号及び処理を容易にするために選択されたプロトコルオプションを知らされるように、要求する。1つの実施形態において、ＣＳ１０２は、ｃｄｍａ２０００標準と矛盾がないオーバヘッドシステムパラメータメッセージとして、この情報を受信者へ提供する。受信者への利点は、オーバヘッドメッセージから直ちに情報を受信する能力である。この方法で、受信者は、受信者がブロードキャストセッションを受信するために充分な資源を有するかどうかを、直ちに決定することができる。受信者は、オーバヘッドシステムパラメータメッセージをモニターする。システムは、１組のパラメータ及びプロトコルに対応するサービスオプション番号を組み込むことができ、ここにおいて、サービスオプション番号は、オーバヘッドメッセージにて提供される。代案として、システムは、選択された様々なプロトコルオプションを表示するために１組のビット又はフラグを提供することができる。受信者は、それから、ブロードキャストセッションを正しく復号するためのプロトコルオプションを決定する。
【００２３】
ＡＮの中に多数の相互接続又はインタフェースがある。この中に説明された実施形態において、ＰＣＦ１０８は、Ａ１１インタフェースと呼ばれるＰＤＳＮ１０４との信号接続を有する。更に、Ａ１０インタフェースと呼ばれるユーザトラヒックのための接続がある。Ａ１０インタフェースは、パケットデータサービスに関して、ＰＤＳＮ１０４とＰＣＦ１０８との間のユーザトラヒックのための通路を提供するために使用される。ＢＳＣは、Ａ９インタフェースと呼ばれるＰＣＦとの信号接続を有する。更に、Ａ８インタフェースと呼ばれるユーザトラヒックのための接続がある。Ａ８インタフェースは、パケットデータサービスに関して、ＢＳＣとＰＣＦとの間のユーザトラヒックのための通路を提供するために使用される。
【００２４】
以降、ＢＣサービスに関する通信パラメータをネゴシエーションするための方法及び装置の種々の実施形態が提示される。通信パラメータは、ＢＣサービスの包括的機能と呼ばれる。機能は、アルゴリズムパラメータを指定するようなヘッダ圧縮のタイプを含むことができ、或いはＰＤＳＮ１１０及びＭＳ１０２によって使用されるいずれのパラメータも含むことができる。それらはシステム要素を介在することによってかならずしも使用されることはない。例えば、ＭＳ１０２及びＰＤＳＮ１１０は、両方とも、通信を処理するためにヘッダ圧縮を使用する。ＰＤＳＮ１１０は、通信に先立ってデータを圧縮するためにヘッダ圧縮アルゴリズムを適用する。ＭＳ１０２は、ＰＤＳＮ１１０によって通信される受信された情報から元の情報を抽出するために、ヘッダ圧縮アルゴリズムについての情報を使用する。ＰＤＳＮ１１０及びＭＳ１０２はデータを処理するためにヘッダ圧縮情報を使用するが、ＢＳＣ１０４は、適用されるヘッダ圧縮の型を知る必要はない。ヘッダ圧縮は、包括的機能の手本として提供されるが、しかしながら、包括的機能は、ヘッダ圧縮には限定されない。包括的機能は、少なくとも２つのシステム要素が通信の固有の処理のために要求するどのようなパラメータであってもよい。
【００２５】
ユニキャストサービス（uni-cast service）におけるように、ＭＳ１０２及びＰＤＳＮ１１０は、ブロードキャスト／マルチキャストサービスに関する包括的機能を表示するか又はネゴシエーションするための手順を要求する。以前議論されたように、これらの機能は、適切なＡ１０接続へデータパケットフローを向けるためのアルゴリズム及び方法と同様に、ヘッダ圧縮アルゴリズムを含むことができる。ＰＤＳＮがＩＰパケットを圧縮する方法は、フロー処置（flow treatment）と呼ばれることがある。この中で使用されるように、フローは、ＩＥＴＦプロトコル層の特定のインスタンス化（instantiation）を共有する一連のパケットである。例えば、ＲＴＰフローは、ＩＰ／ＵＤＰ／ＲＴＰプロトコルインスタンス化のパケットから成り、その全てのパケットが同一の出所及び宛先ＩＰアドレス並びにＵＤＰポート番号を共有する。ＰＤＳＮがＩＰパケットを受信するとき、どこにＩＰパケットを送出すべきか、及びどのようにパケットが圧縮されるべきかを決定する。Ａ１０接続へのＩＰパケットをマッピングする（順方向型機能）ＰＤＳＮは、フローマッピング（flow mapping）と呼ばれることができる。ユニキャストサービスにおいて採用される１つのアプローチに従って、ＭＳは、二地点間プロトコル（ＰＰＰ）インターネットプロトコル制御プロトコル（ＩＰＣＰ）手順の間、このような機能を対応するＰＤＳＮとネゴシエーションする。ＭＳは、それから、ＰＤＳＮへフロー処置情報を表示するためにマルチチャンネルフロー処置プロトコル（ＭＣＦＴＰ）を使用する。ＭＣＦＴＰは、３ＧＰＰ２において開発され、３ＧＰＰ２文書、Ｐ．Ｓ０００１‐Ｂ、“無線ＩＰネットワーク標準”に記載され、その文書は、この中に参照文献として組み入れられる。ＰＤＳＮ２０６へのフロー処置及びフローマッピング情報を提供するために、この中に開示される装置及び方法は、ＭＣＦＴＰを超える確かな利益を提供するＭＣＦＴＰへの代案である。ＭＳが最初のＰＤＳＮを用いて確立されたＰＰＰセッションを有することができるので、このアプローチは、ブロードキャスト／マルチキャストサービスに直接的に適用可能ではなく、ここにおいて、最初のＰＤＳＮは、ＭＳへブロードキャスト／マルチキャストコンテンツを提供する２番目のＰＤＳＮとは異なる。更に、最初のＰＤＳＮがブロードキャスト／マルチキャストトランスポート（transport）に含まれないので、ＭＳが最初のＰＤＳＮへ表示するフロー処置は、適用可能ではない。
【００２６】
図１に図示されるように、ＢＳＣ１０４は、Ａ８／Ａ９インタフェースを介してＰＣＦ１０８と通信する。ＰＣＦ１０８は、ＴＩＡ／ＥＩＡ／ＩＳ‐２００１‐Ａ、ｃｄｍａ２０００アクセスネットワークインタフェースに関する相互運用性仕様（ＩＯＳ）、２００１年８月、に記載されるように、Ａ１０／Ａ１１インタフェースを介して、ＰＤＳＮ１１０及び１１２のような、１つ以上のＰＤＳＮに接続することができる。ブロードキャスト／マルチキャストコンテンツサーバＣＳ１１６は、ＩＰパケットとしてＰＤＳＮ１１０へメディアを送出する。ＭＳ１０２は、任意の時点において、システムの中の１つより多いＰＤＳＮへのＩＰ相互接続性を有することに注目されたい。
【００２７】
搬送ネットワークの中の各ブロードキャスト／マルチキャストサービスインスタンス（instance）は、ブロードキャスト／マルチキャストサービス識別子、又はＩＤ、及びＩＰマルチキャストアドレスによって、一意的に識別されることに注目されたい。ＭＳ１０２が特定のブロードキャスト／マルチキャストサービスへ加入するように要望するとき、ＭＳ１０２は、ＣＳ１１６からのサービス説明を検索する。本サービス説明は、２００１年８月２０日に出願され、これの譲受人に譲渡され、これによって特に参照文献として組み入れられる、Ｎｉｋｏｌａｉ  Ｌｅｕｎｇ氏による、“無線通信システムにおけるブロードキャストオプションの帯域外通信のための方法及び装置”と題する、米国特許出願番号第０９／９３４０２１号に記載されているような、帯域外型機構によって提供されることができる。サービス説明からＭＳ１０２は、ＩＤ及びＩＰアドレスを抽出し、こうして、サービスを受信することができる。
【００２８】
ＰＤＳＮ１１０は、ＭＳ１０２へ送出されるトラヒックの量を低減させるために、種々の型の圧縮をサポートし、実施することができることに注目されたい。例えば、ＰＤＳＮ１１０は、次のヘッダ圧縮アルゴリズム、即ち、ファン・ヤコブソン（Van Jacobson）ＴＣＰ／ＩＰヘッダ圧縮（ＲＦＣ１１４４）、ヘッダ圧縮（ＲＦＣ２５０７）、被圧縮（compressed）ＲＴＰ／ＵＤＰ／ＩＰヘッダ（ＲＦＣ２５０８）、ヘッダ剥離（stripping）／発生技術、及び強固ヘッダ圧縮（ＲＦＣ３０９５）（無線ＩＰネットワーク標準、文書識別番号３ＧＰＰ２Ｐ．Ｓ０００１‐Ｂ）、をサポートすることができる。
【００２９】
ＰＤＳＮ１１０がＩＰパケットを受信するとき、何処にＩＰパケット送出すべきか、及びどのようにパケットが圧縮されるべきか、を決定する。Ａ１０接続へのＩＰパケットをマッピングする（順方向型機能）ＰＤＳＮ１１０は、フローマッピングと呼ばれることができる。
【００３０】
フローマッピングに関して、正しいＭＳ１０２へＩＰパケットを送出するために、パケットが正しいＭＳ１０２へ通信されることができるように、ＰＤＳＮ１１０は、接続へ到来するＩＰパケットを正確にマッピングする。ＩＰパケットは、それから、ＰＣＦ１０８を介してＢＳＣ１０４へ送出される。ＢＳＣ１０４は、それから、ＭＳ１０２へＩＰパケットを送出する。フロー処置に関して、ＰＤＳＮ１１０は、決定された圧縮方法を使用してＩＰパケットを圧縮し、それから、ＭＳ１０２へパケットを通信する。ＭＳ１０２は、それから、ＩＰパケットを圧縮解除（decompress）する。
【００３１】
この中では、ブロードキャスト／マルチキャストサービスに関する包括的機能のネゴシエーション及び表示のための種々の実施形態が提示される。第１の実施形態に従って、包括的機能は、ＢＳＣ１０４において、事前形成（pre-configured）され、ここにおいて、特定のＢＣサービスのための要請に応答して、ＢＳＣ１０４は、利用可能なＢＣサービス及び対応する機能のリスト項目に基づいて、ＭＳ１０２へ及びＰＤＳＮ１１０へ包括的機能情報を提供する。第１の実施形態と同様に、第２の実施形態は、包括的機能情報を用いてＰＤＳＮ１１０を事前形成し、ここにおいて、特定のＢＣサービスのための要請に応答して、ＢＳＣ１０４は、包括的機能情報に関してＰＤＳＮ１１０に照会する。第３の実施形態に従って、ＰＤＳＮ１１０は、包括的機能情報を用いて事前形成され、ここにおいて、ＭＳ１０２は、ＰＰＰ接続を介して包括的機能情報に関して直接的にＰＤＳＮ１１０に照会する。第４の実施形態において、ＭＳ１０２は、システムにおける全てのＰＤＳＮに順番に照会する、ＰＣＦ１０８に照会する。ＢＣに関する役割を担うＰＤＳＮは、照会に応答する。多数のＰＤＳＮがＢＳＣをサポートすることができる処では、マルチキャストアドレスの使用に応答する最初のものは、他のものが応答しないで済むようにする。
【００３２】
以上議論されたように、第１の実施形態において、包括的機能は、ＢＳＣ１０４において、事前形成される。ＭＳ１０２が特定のＢＣサービスを要請するとき、ＢＳＣ１０４は、ＭＳ１０２へ包括的機能情報を提供する。更に、ＢＳＣ１０４は、ＰＤＳＮ１１０へも包括的機能情報を提供する。ＢＳＣ１０４は、ＢＣリスト項目情報を蓄積し、及び／又はＢＣリスト項目情報へアクセスできる。ＢＣリスト項目情報は、利用可能なＢＣサービスのリスト及び対応する各々の機能である。
【００３３】
搬送波ネットワークの中の各ブロードキャスト／マルチキャストサービスに関して、ブロードキャスト／マルチキャストサービスを取り扱う点で、ＰＤＳＮ１１０のような、ＰＤＳＮの包括的機能は、ＢＳＣ１０４のような、ＢＳＣで事前形成される。ＭＳ１０２は、ＢＳＣ１０４によって送出される周期的オーバヘッドメッセージを聴取することによって所与のブロードキャスト／マルチキャストサービスに関するＰＤＳＮ１１０機能を習得するが、しかしながら、オーバヘッドメッセージは、既にセットアップされているこれらのブロードキャスト／マルチキャストサービスに関する機能情報を有している。ブロードキャスト／マルチキャストサービスのセットアップを起動することができる数個の機構がある。第１の機構に従って、ＭＳ１０２は、ＢＳＣ１０４へ登録メッセージを送出し、ここにおいて、登録要請は、動的にセットアップを起動する。第２の機構は、ＢＳＣ１０４でサービスをセットアップするための作用素（operator）に関する。  図２は、ＢＣサービスをサポートする通信システムにおける機能ネゴシエーション(capability negotiation)の第１の実施形態を図示する流れ図である。横軸は、システム、即ち、社会的基盤要素の空間配列を表す。縦軸は、時間線（時間軸）を表す。任意の数の追加のステップ（図示されていない）は、手順に組み入れられることができる。時刻１１で、ＭＳ１０２は、ＰＤＳＮ１１０との通信を確立しようと努める、ＢＳＣ１０４へＢＣ登録要請を送出する。登録メッセージは、ＩＤ（サービス識別子）及び／又はＭＣ  ＩＰアドレスを有する。ＭＳ１０２は、帯域外を介する通信のような、ＣＳ１１６からのサービス説明からＩＤ及びＭＣ  ＩＰアドレスを取得することができる。ＢＳＣ１０４は、事前形成され、即ち、ＢＣに関する包括的機能情報と共に、ＢＣリスト項目データベースにアクセスすることができる。図３に図示されるように、ＢＳＣ１０４は、構成データベース１５０に結合されることができるか、又は代案として、構成データベース１５０は、ＢＳＣ１０４の中のメモリ蓄積装置に蓄積されることができる。効果的に、構成データベース１５０は、ＣＳ１１６によってサポートされる各ＢＣのリスト項目である。各ＢＣは、それから、対応する機能へマッピングされる。１つの実施形態において、構成データベース１５０は、オペレータによって維持される。代案の実施形態において、構成データベース１５０は、ＢＳＣ１０４へダウンロードされるデータベースである。  登録メッセージの受信の際、ＢＳＣ１０４は、ＰＤＳＮ１１０（又はＢＣに関連するＰＤＳＮ）に関する包括的機能情報が、要請されたブロードキャスト／マルチキャストサービスのために利用可能であることを検証する。ＢＳＣ１０４がその情報を用いて事前に形成されているならば、ＢＳＣ１０４は、大気インタフェースを介してオーバヘッドメッセージにおけるＰＤＳＮ１１０機能をブロードキャストする。このように、時刻ｔ２で、ＢＳＣ１０４は、ＭＳ１０２へ機能情報を送出する。更に、時刻ｔ３で、ＢＳＣ１０４は、ＰＣＦ１０８を用いてＡ９‐接続‐Ａ８セットアップ手順を行う。ＢＳＣ１０４は、Ａ９‐セットアップ‐Ａ８メッセージを介して、ブロードキャスト／マ��チキャストサービスに関する包括的機能をＰＣＦ１０８に通知する。ＰＣＦ１０８は、時刻ｔ４で、Ａ１１‐登録‐要請メッセージを介して、ＰＤＳＮ１１０へこの情報を中継する。この情報に基づいて、ＰＤＳＮは、ブロードキャスト／マルチキャストサービスに関する適切な処置を適用する。時刻ｔ５で、ＰＤＳＮ１０８は、ＣＳから受信したように、ＢＳＣ１０４を通ってＭＳ１０２へデータを通信することを開始する。受信されたパケットのＩＰマルチキャストアドレスに基づいて、ＰＤＳＮは、そのＩＰマルチキャストアドレスに対応する適切なＡ１０接続を介して、ＰＣＦへパケットを転送する。ＰＣＦは、ＢＳＣ向けのそれの対応するＡ８接続へ、そのＡ１０接続から受信されたデータを転送する。
【００３４】
以上議論された第２の実施形態は、図４及び５に図示される。第２の実施形態に従って、ＢＳＣ１０４が機能情報を用いて事前に形成されてないので、ＭＳ１０２は、ＢＣサービスセットアップを動的に起動する。ＭＳ１０２は、時刻ｔ１で、ＢＣ登録に関する要請をＢＳＣ１０４へ送出する。ＢＣ登録要請は、株式相場、ニュースサービス、スポーツ行事、等、のような、要望される特定のＢＣサービスを識別する。ＢＳＣ１０４は、その要請を受信し、ＢＣサービスをサポートするＰＤＳＮ１１０を識別する。ＢＳＣ１０４は、それから、時刻ｔ２で、ＰＤＳＮ１１０へ（ＰＣＦ１０８を介して）照会を送出する。ＢＳＣ１０４は、Ａ９‐セットアップ‐Ａ８メッセージをＰＣＦ１０８へ送出することによって、ＰＣＦ１０８を用いてＡ９‐セットアップ‐Ａ８接続を始動する。ＰＣＦは、Ａ１１‐登録‐要請メッセージを使用してＰＤＳＮ１１０へその照会を転送する。ＰＣＦ１０８は、時刻ｔ３及びｔ４で、ＰＤＳＮ１１０を用いてＡ１１接続を確立する。ＰＣＦ１０８は、Ａ９‐接続‐Ａ８メッセージを介して、ＢＳＣ１０４へＰＤＳＮ１１０応答を転送する。要請されたブロードキャスト／マルチキャストサービスの取扱に関するＰＤＳＮ１００機能を習得する際、ＢＳＣ１０４は、大気インタフェースを介して、オーバヘッドメッセージにおける情報をブロードキャストする。こうして、図示されるように、ＰＣＦ１０８は、時刻ｔ５で、ＰＤＳＮ１１０から機能情報を受信し、その情報は、時刻ｔ６で、ＭＳ１０２へ通信される。図５に図示されるように、ＰＤＳＮは、構成データベース１５０を蓄積し、及び／又は構成データベース１５０にアクセスすることができる。1つの実施形態において、（１）ＢＳＣは、どのＰＤＳＮが、ＢＣサービス（２００１年１１月５日に出願され、代理人事件整理番号第０２００６３号を有する、Ｒａｙｍｏｎｄ  Ｈｓｕ氏による、“マルチキャスト／ブロードキャストサービスのためにパケットデータサービングノードを選択するための方法及び装置”と題する、米国特許出願番号第ＸＸＸＸ号に記載された）のＩＰマルチキャストアドレスに基づくかを決定する；（２）ＢＳＣは、どのＰＤＳＮがＩＰマルチキャストアドレスによって識別されるどのＢＣサービスに仕えるかの情報が備えられる：を含むが、それに限定されないＢＣに関連するＰＤＳＮを識別するためのＢＳＣに関する数個のオプションがある。第１及び第２の実施形態においては、ブロードキャスト／マルチキャストサービスセットアップは、ＭＳ登録によって動的に起動された。
【００３５】
第１及び第２の実施形態において、ＢＣサービスの機能は、ＭＳから特定の要請がなくても周期的にブロードキャストされることができる。この特徴は、沢山の人達が出来事を見たい場合、（あるスポーツ行事のような）ＢＣサービスの始まりの周辺のウィンドウ（window）（例えば、プラス／マイナス１０分）の間有用である。この場合において、要請／照会を使用することは、逆方向及び順方向共通信号チャンネルを、両方とも、過負荷にする。このように、ＢＣサービスに関する機能を広告するためのブロードキャスト特徴を使用することは、大気インタフェース資源を節約する。ＢＣサービスの機能は、ヘッダ圧縮機能、ＩＰマルチキャストアドレスとＢＣＭＣＳ＿ＩＤとの間のマッピング、等、を含むが、それに限定されない。
【００３６】
第１及び第２の実施形態は、両方とも、ＰＰＰセッションを確立するためにＭＳを要求することなく、特定のブロードキャスト／マルチキャストサービスに関するＰＤＳＮの包括的機能をＭＳに通知する能力をネットワークへ提供する。しかしながら、これは、オーバヘッドメッセージにおいて広告されるのとは別の、ブロードキャスト／マルチキャストサービスに関する異なる組の機能（例えば、ヘッダ圧縮アルゴリズム）のネゴシエーションにおけるより劣る柔軟性に対して釣合いがとられる。
【００３７】
図６及び７に図示されるように、第３の実施形態に従って、ＢＣサービスに関する包括的機能は、ネットワーク又はシステムにおいて、各ＰＤＳＮで事前に形成される。特に、搬送波ネットワークにおける各ブロードキャスト／マルチキャストサービスインスタンス（instance）に関して、対応する包括的機能（ブロードキャスト／マルチキャストサービスを取り扱うための）は、搬送波アクセスネットワークの中の全てのＰＤＳＮで事前に形成される。要望されたブロードキャスト／マルチキャストサービスに関する機能を決定するために、ＭＳ１０２は、最初に、図６の時刻ｔ１で示されるように、ＰＤＳＮ１１０へのＰＰＰセッションを確立する。このＰＤＳＮ１１０は、必ずしもＣＳ１１６からのブロードキャスト／マルチキャストメディアをサポートするＰＤＳＮであることはない。一旦、ＰＰＰセッションが確立されると、ＭＳは、時刻ｔ２で、要望されたブロードキャスト／マルチキャストサービスをサポートするＰＤＳＮの機能を発見するためのマルチチャンネルフロー処置プロトコル（ＭＣＦＴＰ）を採用する。ＭＳ１０２は、ＰＰＰを介してＭＣＦＴＰを使用して機能情報を要請する照会を送出する。図７に図示されるように、多数のＰＤＳＮは、構成データベース１５０を蓄積し、及び／又は構成データベース１５０にアクセスすることができる。
【００３８】
第３の実施形態は、ＢＳＣ１０４及びＰＣＦ１０８、並びにどのような他の介入する要素（図示されていない）にも透明である手順を提供する。ＭＳ１０２は、ネットワークにおけるＰＤＳＮが、それにもかかわらず、そのＭＳＦＴＰ同等のものであるブロードキャスト／マルチキャストサービスに関する包括的機能を習得する。換言すれば、全てのＰＤＳＮが機能情報を用いて事前形成されているので、ＭＳ１０２は、ブロードキャストセッションをサポートするＰＤＳＮを用いてＰＰＰ接続を確立する必要はない。ＭＳ１０２は、最初のＰＤＳＮから機能情報を習得することができ、それから、異なるＰＤＳＮを通ってブロードキャストセッションを受信することができる。更に、この機能情報が大気インタフェースを介して、オーバヘッドメッセージにおいて周期的にブロードキャストされないので、何一つ大気リンク資源は、浪費されない。
【００３９】
他方において、たとえ若干のＰＤＳＮがブロードキャスト／マルチキャストサービスをサポートすることができなくても、第３の実施形態の適用は、搬送波アクセスネットワークの中の各ＰＤＳＮが全てのブロードキャスト／マルチキャストサービスに関する機能を用いて事前に形成されることを要求することができる。搬送波アクセスネットワークの中のＰＤＳＮの一部のみがブロードキャスト／マルチキャストサービスをサポートすることができることは、可能である。ネットワークの中の全てのＰＤＳＮを作ることにより、ブロードキャスト／マルチキャストサービス意識はオーバヘッドを該処理に導入する。例えば、変更があるとき、その変更は、ネットワークにおける各ＰＤＳＮに関して更新される。更に、ＭＳは、ＭＣＦＴＰを動作（run）させるために通常のデータ呼選択サービスオプション３３を用いてＰＰＰセッションを確立する。ＢＣに関する機能を発見するためのＭＣＦＴＰを使用する難点は、それが大気を介して確立されるためのトラヒックチャンネルを要求するユニキャスト方法であることである。この目的のためにトラヒックチャンネルを使用することは、大気を介しては効率的ではない。他方において、第１及び第２の実施形態は、ＭＳへ同じ情報を運ぶために、トラヒックチャンネルを使用するより効率的である共通の信号チャンネルを使用することができる。更に、第１及び第２の実施形態は、それどころか大気を介してより効率的である、ブロードキャスト共通チャンネルを介して、ＢＣサービスの機能をブロードキャストすることができる。
【００４０】
第４の実施形態において、ＭＳ１０２は、ブロードキャスト／マルチキャストサービスに関する包括的機能情報を習得するためにＭＣＦＴＰを使用し、ここにおいて、ＰＤＳＮは、機能情報を用いて事前形成される。第３の実施形態とは異なり、ブロードキャストをサポートするこれらのＰＤＳＮのみが機能情報を用いて事前に形成される。更に、第３の実施形態と違って、ＭＳは、ブロードキャスト／マルチキャストフローをサポートするＰＤＳＮへのＰＰＰセッションを確立する必要はない。図８に図示されるように、ＣＳ２１４は、ＩＰインタフェース２０８を介してＰＤＳＮ２０２及び２０４と通信する。システム２００の中においても、ＰＤＳＮ２０６及び２１２は、ＩＰインタフェース２１０を介して資源（図示されていない）と通信状態にある。ＰＤＳＮ２０６及び２１２は、種々の他のデータ源のどれとでも通信状態にあることができる。ＭＳ１０２のようなＭＳは、ＰＤＳＮ２０２，２０４、２０６、及び２１２のどれとでも通信状態にあることができる。多数のＰＤＳＮは、共通のＰＣＦ（図示されていない）を介してＭＳと通信状態にあることができる。
【００４１】
ＭＳ（図示されていない）は、ＣＳ２１６からブロードキャストコンテンツを受信していないＰＤＳＮ２０６へのＰＰＰセッションを確立することができる。ＭＳは、要望されたブロードキャスト／マルチキャストサービスの包括的機能に関してＰＤＳＮ２０６に照会するためにＭＣＦＴＰを使用する。その要請を受信し次第、ＰＤＳＮ２０６は、各々がＣＳ２１６からブロードキャストコンテンツを受信している、ＰＤＳＮ２０２及び／又はＰＤＳＮ２０４からの機能情報を要請するためにＰＤＳＮ間（Ｉｎｔｅｒ‐ＰＤＳＮ）プロトコルを使用する。例えば、ＰＤＳＮ２０６は、マルチキャストグループへ照会を送出し、ここにおいて、グループ構成員は、システム２００のような、搬送波ネットワークにおけるＰＤＳＮである。その照会は、ブロードキャスト／マルチキャストサービス（ＩＤ及びＭＣ  ＩＰアドレスによって識別された）に関連する機能情報を要請する。その照会は、マルチキャストグループのＰＤＳＮ構成員へアドレス指定されたＩＰ  ＭＣパケットの形式で送出される。1つの実施形態において、そのグループは、安全の目的のために、パケットが搬送波ネットワークの外部に転送されないように、管理の範囲で予約されたＩＰマルチキャストアドレスによって識別される。
【００４２】
照会を受信し次第、指定されたブロードキャスト／マルチキャストサービスをサポートするこれらのＰＤＳＮは、機能情報を用いて応答する。他のＰＤＳＮは、なにも行動をしないでその照会を廃棄する。機能応答は、それから、同じマルチキャストグループのＰＤＳＮ構成員へ送出される。同じ照会への多数のＰＤＳＮからの応答の殺到（flood）を低減するための最適化として、応答が既にＰＤＳＮによって送出されているならば、他のＰＤＳＮは、それに気づいて、同じ応答を送出しない。応答を受信し次第、ＰＤＳＮ２０６は、要請しているＭＳへ機能情報を提供するためにＭＣＦＴＰを使用する。再び、他のＰＤＳＮは、行動をしないで、即ち、黙って、その応答を廃棄する。
【００４３】
第４の実施形態は、更に、処理３００として図９に図示される。決定ダイアモンド（decision diamond）３０２で、処理は、ＰＤＳＮ機能情報に関するＭＳ照会を待つ。ＭＳ照会に応答して、処理は、機能情報を要請するマルチキャスト照会を送出するためにステップ３０４に進む。マルチキャスト照会は、ネットワークにおける全てのＰＤＳＮへ送出されることができるか、又はその一部へ送出されることができる。各ＰＤＳＮは、ＢＣがサポートされるかどうかを決定し、ＰＤＳＮが決定ダイアモンド３０６で、指定されたＢＣをサポートするならば、処理は、決定ダイアモンド３１２に進む。回答がもう1つのＰＤＳＮによって送出されたかどうかを決定するために。なんの回答も送出されなかったならば、ＰＤＳＮは、ステップ３１０で、回答を送出し、回答が送出されたならば、処理は、ＭＳからの次の照会を待つために戻る。ＰＤＳＮが決定ダイアモンド３０６で、指定されたＢＣをサポートしないならば、処理は、ＭＳからの次の照会を待つために戻る。
【００４４】
第４の実施形態に従って、ＭＳは、必ずしもブロードキャスト／マルチキャストコンテンツをサポートするＰＤＳＮへ接続する必要はない。所与のブロードキャストセッションの包括的機能は、この特定の接続なしで、取得されることができる。しかしながら、追加のＰＤＳＮ間プロトコルを使用して、ブロードキャスト／マルチキャストサービスのためのＰＤＳＮの機能をサービスすることに関する情報を交換する。
【００４５】
技術的に精通した人達は、情報及び信号が任意の種々の様々な技術及び手法を使用して表現できることを理解する。例えば、以上の説明の全体に亘って参照されることができる、データ、指示、命令、情報、信号、ビット、シンボル、及びチップは、電圧、電流、電磁波、磁場若しくは磁粒子、光場若しくは光粒子、又はこれらの任意の組み合わせによって表現されることができる。
【００４６】
技術的に精通した人達は、更に、この中に開示された実施形態に関連して説明された種々の例示の論理ブロック、モジュール、回路、及びアルゴリズムステップは、電子的ハードウェア、コンピュータソフトウェア、又はその両方の組み合わせとして、実施されることができることを正当に評価する。このハードウェア及びソフトウェアの互換性を明瞭に図解説明するために、種々の例示の構成要素、ブロック、モジュール、回路、及びステップは、それらの機能性の点から概論的に前に説明されてきた。このような機能性がハードウェア又はソフトウェアとして実施されるかどうかは、システム全体に課せられた特定の用途及び設計の制約事項に左右される。精通した技術者は、一つ一つの特定の用途に関して、種々の方法で説明された機能性を実施することができるが、このような実施決定は、本発明の範囲からの離脱をもとにするものと解釈されるべきではない。
【００４７】
この中に開示された実施形態に関連して説明された種々の例示の論理ブロック、モジュール、回路は、この中に説明された機能を実行するために設計された、汎用プロセッサ、ディジタル信号プロセッサ（ＤＳＰ）、特定用途集積回路（ＡＳＩＣ）、現場プログラム可能ゲートアレー（ＦＰＧＡ）若しくは他のプログラム可能論理装置、個別ゲート若しくはトランジスタ論理、個別ハードウェア構成要素、又はこれらの任意の組み合わせ、を用いて実施され又は実行されることができる。汎用プロセッサは、マイクロプロセッサであってもよいが、代案として、プロセッサは、任意の従来のプロセッサ、コントローラ、マイクロコントローラ、又はステートマシン（state machine）であってもよい。プロセッサは、計算装置の組み合わせ、例えば、ＤＳＰとマイクロプロセッサとの組み合わせ、複数のマイクロプロセッサ、ＤＳＰ中核併用の1つ以上のマイクロプロセッサ、又は任意の他のこのような構成として実施されることもできる。
【００４８】
この中に開示された実施形態と関連して説明された方法又はアルゴリズムのステップは、ハードウェアに、プロセッサによって実行されるソフトウェアモジュールに、又はその二つの組み合わせに、直接的に具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ‐ＲＯＭ、又は技術的に周知の任意の他の形式の蓄積媒体に常駐することができる。例示的蓄積媒体は、プロセッサが蓄積媒体から情報を読み出し、蓄積媒体へ情報を書き込むことができるような、プロセッサに結合される。代案として、蓄積媒体は、プロセッサと一体化することができる。プロセッサ及び蓄積媒体は、ＡＳＩＣに常駐することができる。ＡＳＩＣは、ユーザ端末に常駐することができる。代案として、プロセッサ及び蓄積媒体は、ユーザ端末における個別構成要素として常駐することができる。
【００４９】
開示された実施形態の以上の説明は、技術的に精通したどのような人も、本発明を製品化し、又は使用することを可能にするように提供される。これらの実施形態への種々の変更は、技術的に精通した人達には、即座に明白であり、この中に規定される包括的原理は、本発明の精神又は範囲から離脱することなく他の実施形態に適用されることができる。このように、本発明は、この中に示された実施形態に限定されるように意図されるものではなく、この中に開示された原理及び新規な特徴とは矛盾しない最も広い範囲と一致するものである。
【図面の簡単な説明】
【００５０】
【図１】図１は、ブロードキャストをサポートする無線通信システムの図である。
【図２】図２は、ブロードキャストをサポートする通信システムにおける通信パラメータをネゴシエーションするための流れ図である。
【図３】図３は、ブロードキャストをサポートする通信システムの一部分のブロック図である。
【図４】図４は、ブロードキャストをサポートする通信システムにおける通信パラメータをネゴシエーションするための流れ図である。
【図５】図５は、ブロードキャストをサポートする通信システムの一部分のブロック図である。
【図６】図６は、ブロードキャストをサポートする通信システムにおける通信パラメータをネゴシエーションするための流れ図である。
【図７】図７は、ブロードキャストをサポートする通信システムの一部分のブロック図である。
【図８】図８は、ブロードキャストをサポートする通信システムのブロック図である。
【図９】図９は、ブロードキャストをサポートする通信システムにおける通信パラメータをネゴシエーションするための流れ図である。
【符号の説明】
【００５１】
１００…無線通信システム、２００…システム、３００…処理。
【図１】
2005516534.tif 000003
【図２】
2005516534.tif 000004
【図３】
2005516534.tif 000005
【図４】
2005516534.tif 000006
【図５】
2005516534.tif 000007
【図６】
2005516534.tif 000008
【図７】
2005516534.tif 000009
【図８】
2005516534.tif 000010
【図９】
2005516534.tif 000011
【国際調査報告】
2005516534.tif 000012
2005516534.tif 000013
2005516534.tif 000014
2005516534.tif 000015
2005516534.tif 000016
2005516534.tif 000017